(57)【要約】      （修正有）【課題】需要者の情報入手行動の機会を無駄にすることなく潜在的な需要に積極的にアピールし、多岐に亘る商品やサービスについて情報を提供することで宣伝効果の高い広告情報システム及び広告媒体を提供する。【解決手段】広告情報を掲載した情報編集ウェブサイトへインターネットＮを介してアクセス可能なＵＲＬアドレス又は二次元コード１０１の少なくともいずれか一つが表示された広告媒体１０と、前記ＵＲＬアドレス又は二次元コードに紐づけされた広告主に関する情報がメイン広告主情報として表示され、且つ、該メイン広告主とは異なるカテゴリに属する一又は複数の他の広告主に関する情報がサブ広告主情報として前記メイン広告主情報に従属して表示される情報編集ウェブサイト２０と、前記メイン広告主情報及びサブ広告主情報を記録する記録サーバ３０とを有する。【選択図】図１
0003209153.tif 000002
【実用新案登録請求の範囲】
【請求項１】
広告情報を掲載した情報編集ウェブサイトへインターネットを介してアクセス可能なＵＲＬアドレス又は二次元コードの少なくともいずれか一つが表示された広告媒体と、
前記ＵＲＬアドレス又は二次元コードに紐づけされた広告主に関する情報がメイン広告主情報として表示され、且つ、該メイン広告とは異なるカテゴリに属する一又は複数の他の広告主に関する情報がサブ広告主情報として前記メイン広告主情報に従属して表示される情報編集ウェブサイトと、
前記メイン広告主情報及びサブ広告主情報を記録する記録サーバと
を有する広告情報システム。 
【請求項２】
前記カテゴリとは、広告主が属する業種や所在する地域、需要者の対象年齢や性別であることを特徴とする請求項１に記載の広告情報システム。
【請求項３】
紙製若しくは樹脂製の媒体又は電子媒体であることを特徴とする請求項１又は請求項２に記載の広告情報システムに用いられる広告媒体。
【考案の詳細な説明】
【技術分野】
【０００１】
本考案は、広告媒体に表示された二次元コード等により広告情報が掲載された情報編集ウェブサイトへアクセス可能な広告情報システムに関する。
【背景技術】
【０００２】
従来、二次元コード付き広告媒体であって、商品をジャンルごとの広告枠に記載し、二次元コードを介して当該情報へアクセス可能な技術が知られている（特許文献１参照）。
【０００３】
また、二次元バーコードを具備する広告媒体であって、同コードへのアクセスの機会を増やす工夫が施された技術が開示されている（特許文献２参照）。
【０００４】
しかし乍ら、これらの先行技術においては、広告対象者、つまり需要者が探し求める商品やサービスに関する広告効果の向上を意図するに留まり、需要者の潜在的な需要に積極的にアピールするために取り組んだものではない。時代とともに商品やサービスの種類は多岐に亘り、需要者の嗜好も様々に変化する中にあって、広告を提供する側の意識は、未だ需要者の求めるものを求められるままに提供するという考え方から抜けきれていない。
【先行技術文献】
【特許文献】
【０００５】
【特許文献１】特開２００６−５８５９０号公報
【特許文献２】特開２００６−２４３６９７号公報
【考案の概要】
【考案が解決しようとする課題】
【０００６】
そこで本考案は、需要者が特定の商品又はサービスに関心を示し、その情報を入手すべく行動を起こした機会を無駄にすることなく更なる情報を提供することとし、然りとて本来の広告主の広告効果が減殺されることもなく、需要者の潜在的な需要に訴え得る広告技術を提供することを課題とする。
【課題を解決するための手段】
【０００７】
請求項１に記載の広告情報システムは、広告情報を掲載した情報編集ウェブサイトへインターネットを介してアクセス可能なＵＲＬアドレス又は二次元コードの少なくともいずれか一つが表示された広告媒体と、前記ＵＲＬアドレス又は二次元コードに紐づけされた広告主に関する情報がメイン広告主情報として表示され、且つ、該メイン広告とは異なるカテゴリに属する一又は複数の他の広告主に関する情報がサブ広告主情報として前記メイン広告主情報に従属して表示される情報編集ウェブサイトと、前記メイン広告主情報及びサブ広告主情報を記録する記録サーバと、を有することを特徴とする。
【０００８】
また、請求項２に記載の広告情報システムは、請求項１に記載の構成において、前記カテゴリとは、広告主が属する業種や所在する地域、需要者の対象年齢や性別であることを特徴とする。
【０００９】
また、請求項３に記載の広告媒体は、請求項１又は請求項２に記載の広告情報システムに用いられる広告媒体であって、該広告媒体は紙製若しくは樹脂製の媒体又は電子媒体であることを特徴とする。
【考案の効果】
【００１０】
本考案によれば、需要者が関心を示したメイン広告主に関する情報の入手に際し、該メイン広告主情報に加えて一又は複数のサブ広告主情報が得られることから、需要者の潜在的な購買意欲を刺激する広告効果が期待できる。
【００１１】
さらに、メイン広告主にとっては、自身とは異なるカテゴリに属する、つまり自身の広告効果が減殺される恐れのない他の広告主に関する情報を自身の広告に従属させることで、プラスアルファの情報を需要者へ提供できることとなるため、自身の広告の価値を高めることができる。
【００１２】
一方、サブ広告主にとっては、需要者の目に付きやすいメイン広告主の情報に自身の情報を従属させることで、需要者の潜在的な購買意欲に訴える効果が期待できる。
【００１３】
更には、メイン広告とサブ広告とを使い分けることで広告宣伝方法の選択肢を広げることが可能となる。
【図面の簡単な説明】
【００１４】
【図１】本考案に係るシステム構成の概略を示すブロック図である。
【図２】本考案に係る広告媒体を示す図である。
【図３】広告フレームの全体を示す図である。
【図４】広告フレームが携帯端末上で表示される様子を示す図である。
【図５】本考案のデータベースの構成を示す説明図である。
【図６】変形例２における広告フレームの全体を示す図である。
【図７】変形例２において広告フレームが携帯端末上で表示される様子を示す図である。
【図８】変形例３において広告フレームが携帯端末上で表示される様子を示す図である。
【考案を実施するための形態】
【００１５】
本考案に係る広告情報システムについて図面に基づき説明する。
【００１６】
本考案に係る広告情報システム１は、広告媒体１０と、携帯端末４０等の画面上に表示される情報編集ウェブサイト２０と、記録サーバ３０とで主に構成される（図１）。
【００１７】
「広告媒体１０」には、広告情報を掲載した情報編集ウェブサイトへインターネットを介してアクセス可能な二次元コード１０１が表示されている（図２）。二次元コードに代えて、或は二次元コードと共にＵＲＬアドレスを表示することとしてもよい。
【００１８】
広告媒体１０には、二次元コード１０１のほかに広告主の名称又は該名称と業種が把握できる程度の文言１０２や該広告主に係る商品やサービスを表すロゴや紹介画像１０３が表示されている。該二次元コード１０１は、図示するように上下の広告枠とは異なる列に配置すると、携帯端末に搭載された二次元コード読み取り手段で読み取る際に読み誤りが少なくなり好ましい。尚、該配置は図示する配置に限定されるものではない。また、ここで広告媒体１０に掲載される広告主は、本考案における「メイン広告主」（後に詳述する）である。
【００１９】
該広告媒体１０は、上記情報を表示した単独の紙媒体のほか、新聞、雑誌その他の紙面又は樹脂製の媒体若しくは電子媒体であってもよい。
【００２０】
「情報編集ウェブサイト２０」とは、広告主自身が運営するホームページ等ではなく、前記広告媒体１０の管理者、即ち広告情報を企業等から収集する広告運営者が開設し、直接又は間接に管理運営を行うインターネット上のウェブサイトをいう。
【００２１】
該情報編集ウェブサイト２０の画面上には、前記二次元コードに紐づけされた広告主情報がメイン広告主情報として第一次的に表示される。そして該メイン広告主とは異なるカテゴリに属する一又は複数の他の広告主に関する情報が、サブ広告主情報として前記メイン広告主情報に従属して表示される。
【００２２】
前記「カテゴリ」とは、広告主が属する業種や所在する地域、需要者の対象年齢や性別をいい、サブ広告主に関する情報をメイン広告主情報に従属させて掲載した場合に、該カテゴリの相違（例えば、主／「医療関係」と従／「飲食関係」など）により、サブ広告主に関する情報がメイン広告主の広告効果を減殺しないこととなる分類をいう。
【００２３】
また、前記「従属して」とは、情報量において軽重の差を設け、且つ表示方法においても、追加の端末操作（下方へのスクロール操作）を要したり、メイン広告に遅れてサブ広告を表示するといった時間差を設けたりすることをいう。
【００２４】
図３に示すように、本考案に係る情報編集ウェブサイトにおいてメイン広告主情報とサブ広告主情報は同じフレームＦ内の別領域に読み出されることとなる。メイン広告主情報は「メイン広告表示欄」（領域Ｆａ）へ、サブ広告主情報は「サブ広告表示欄」（Ｆｂ）へ掲載されるものとする。
【００２５】
「情報量」に関しては、図４に示すように、メイン広告主情報としては、広告主に関する所在地、名称、電話番号、地図、該広告主自身のＵＲＬアドレスそして所定の広告内容を表示する。一方、サブ広告主情報としては、広告主の名称又は該名称と業種が把握できる程度の文言と、該広告主自身のＵＲＬアドレスのみを表示する。尚、表示される情報量に軽重の差を設けていれば、差の程度は適宜変更してよい。
【００２６】
また、「表示方法」に関しては、メイン広告主情報が表示されるタイミングに遅れてサブ広告主情報が画面上に表示されるようにする。具体的には、利用者が自身の携帯端末４０等においてスクロールバー（図４中、符号Ｓ）等により下方へスクロールさせて初めてサブ広告主情報（同図中、符号Ｐ）が表示されるようにする。尚、表示のタイミングに時差が生じれば、スクロール操作に限らないが、サブ広告情報は潜在的な需要に訴え得る一方で、需要者が直接関心を示した情報でないことを考慮すると煩雑な操作は好ましくない。
【００２７】
「記録サーバ３０」は、図５に示すように、広告主に関する情報をデータベースに記録する。具体的には、広告主の名称、所在地、電話番号、地図、広告主自身が管理運営するホームページ等のＵＲＬアドレス、広告内容に加え、広告主が属する業種の別を示す識別子（例：医療関係→「typ_ind_ctgr_1」、スポーツジム関係→「typ_ind_ctgr_2」、美容関係→「typ_ind_ctgr_3」、飲食関係→「typ_ind_ctgr_4」など）や、メイン広告主とサブ広告主を識別するフラグ等の情報がデータベース化され、記録サーバ３０内に読み出し可能に記録されている。
【００２８】
該記録サーバ３０は、インターネット（図１中、符号Ｎ）を介して携帯端末４０やパソコン（図示せず）等と通信可能である。尚、図示しないが、インターネットＮに接続された通信部と、ディスプレイなどからなる出力部と、キーボードやマウスなどからなる入力部、主記憶装置（メモリ）などその他本考案に係る広告情報システムを稼動させるための必要なすべての機能を具備する。
【００２９】
そして、通信部やメモリなどを制御する制御部は、これらの機能と協働して、本考案に係る広告情報システムの利用者からのアクセス要求に応え、記録サーバ３０内のデータベースからメイン広告主やサブ広告主に関する必要な情報を適宜抽出し、広告フレーム内の所定の表示欄へ所定の広告情報を読み出す。
【００３０】
以下に、本考案の利用態様について詳述する。
「メイン広告主の表示」
本考案に係る広告情報システムの利用者が、広告媒体１０（図１）の中から「Ｆ内科」に関する情報を所望したとする。該利用者がカメラ付き携帯端末４０の二次元コード読み取り機能を使用して二次元コード１０１を読み取ると、制御部その他関連する各機能が協働して、記録サーバ３０内において該二次元コードに紐づけされた「Ｆ内科」を認識し、「メイン広告主」として所定の情報をデータベース（図５）から抽出し、フレームＦ内のメイン広告表示欄Ｆａ（図３）へ読み出す。
【００３１】
「サブ広告主の表示」
次に、前記制御部は、所定の手順に従ってメイン広告主が属する業種とは異なる業種を識別子により認識する。本実施例においては、メイン広告主である「Ｆ内科」が属する業種（医療関係）を示す識別子「typ_ind_ctgr_1」以外の識別子が付与された業種、即ち「typ_ind_ctgr_2」乃至「typ_ind_ctgr_5」の４業種（図５）が、サブ広告主候補が属する業種として認識される。
【００３２】
そして、これら４業種の中から、サブ広告主としての掲載を希望する広告主の有無を判断する。前記認識された４業種において、サブ広告主としての掲載を希望する広告主は、「フィットネスＪ」、「レストランＧ」、「クリーニングＨ」の３社である。これらの中から前記メイン広告に従属して表示されるべきサブ広告主をどのように判断するかについて説明する。
【００３３】
本実施の形態において特定のサブ広告主は「重み付け」で決められる。契約期間中のサブ広告としての表示回数若しくは表示時間といった条件に比例した例えば１〜１０までの１０段階の「重み付け」を設定しておき、これを各サブ広告主の固有の情報としてデータベースに記録する。図５中、「サブランク」の項目が該「重み付け」である。本実施の形態においては、「フィットネスＪ」→「６」、「レストランＧ」→「８」、「クリーニングＨ」→「３」であることから、「重み付け」が最も高い「レストランＧ」が優先的にサブ広告主として認識されることとなる。そして、サブ広告主としての所定の情報が抽出され、サブ広告表示欄へ読み出される。
【００３４】
尚、サブ広告主を抽出する仕組みは、本考案の目的を妨げない限り、他の仕組みを採用することは妨げず、前記サブランクに差異がない場合など、上記に当てはまらないケースについては、公平な優先順位を適宜設け、サブ広告選択時のルールを設定すれば良い。
【００３５】
本実施形態における広告情報システムによれば、需要者が特定の商品又はサービスに関心を示し、その情報を入手すべく行動を起こした機会を無駄にすることなく、といって、本来の広告主情報（メイン広告主の広告情報）の広告効果が減殺されることもなく、需要者の潜在的な需要に訴え得る広告技術を提供することができる。上記実施の形態においては、病院の情報を入手する際に、殆ど手間なく飲食関連の情報をも入手できることから、本考案は非常に有用な広告情報システムといえる。
【００３６】
前記広告媒体１０は、例えばこれをマンションの出入り口付近など、入居者の目に付きやすい箇所に貼っておくことで、引っ越してきたばかりで当地に不慣れな人々にとって非常に有用な情報源となる。
【００３７】
さらには、広告宣伝の選択肢も広まる。情報量と表示方法においてメイン広告に劣るサブ広告であるが、例えば知名度の徹底を図りたい、資金に余裕のない開業間もない広告主らにとっては、詳細な情報提供よりも、頻繁にアクセスが期待されるメイン広告に従属し、安く自身の名称等が閲覧されるサブ広告を是とする広告主には有効である。
【００３８】
〔変形例１〕
上記実施形態の変形例の一つとして、複数のメイン広告に、同じ１社のサブ広告を従属させることが考えられる。例えば、５社のメイン広告に特定１社のサブ広告を従属して表示させれば、該サブ広告は、上記実施の形態に比べて人目につく機会が５倍に増えるというメリットがある。
【００３９】
この場合、前記５社の各メイン広告主が掲載されるフレームＦ（図３）のサブ広告表示欄Ｆｂ（図３）へ、当該５社のメイン広告主とは異なる業種に属する業種の中から特定１社のサブ広告主に関する所定の情報を抽出すれば良い。
【００４０】
サブ広告情報を何社のメイン広告情報に従属させるか、また、サブ広告の掲載情報量をどの程度とするかにより、幾通りものサブ広告料の設定が可能であり、広告運営者にとっては広告主への提案の幅が広がり、有用である。
【００４１】
このとき、前述の実施形態と同様に、制御部が所定の手順に従って該複数のメイン広告主が個々に属する業種とはいずれも異なる業種を認識し、該異なる業種に属する広告主の中からサブ広告主候補を認識する。そして、該認識したサブ広告主候補の中から、例えば、前述のサブランクに基づき特定の１社をサブ広告主と認定すればよい。
尚、サブ広告主を抽出する仕組みは、本考案の目的を妨げない限り、他の仕組みを採用することを妨げない。
【００４２】
〔変形例２〕
前記実施形態の他の変形例として、一のメイン広告に従属させた複数のサブ広告を表示することが挙げられる（図６、図７）。例えば、１社のメイン広告に３社のサブ広告を従属して表示するとすれば、サブ広告であるため個々の情報量は多くないが、バリエーションに富んだサブ広告になるというメリットがある。
【００４３】
この場合、広告表示欄Ｆ（図６）のメイン広告主の情報が掲載されるフレームＦａの下方に、サブ広告表示欄「Ｆｂ１」、「Ｆｂ２」、「Ｆｂ３」へサブ広告主「甲」、「乙」、「丙」の各所定の情報を抽出すれば良い。
【００４４】
本考案の利用者の携帯端末４０の表示画面において、先ずメイン広告（「Ｆ内科」）を表示させた（図７（ａ））後、スクロールバーＳにより下方向へスクロールさせることで、順次、サブ広告「甲」（例：レストランＧ）（図７（ｂ））、そしてサブ広告「乙」（例：クリーニングＨ）及びサブ広告「丙」（例：フィットネスＪ）と表示される（図７（ｃ））。
【００４５】
この場合において、サブ広告を何社表示させるか、また、サブ広告の掲載情報量をどの程度とするかにより、幾通りものサブ広告料の設定が可能であり、広告運営者にとっては広告主への提案の幅が広がり、有用である。
【００４６】
このとき、前述の実施形態と同様に、制御部が所定の手順に従ってメイン広告主が属する業種とは異なる業種を認識し、該異なる業種に属する広告主の中からサブ広告主候補を認識する。そして、該認識したサブ広告主候補の中から、例えば、前述のサブランクに基づき特定の１社をサブ広告主と認定すればよい。また、サブ広告間の業種の異同については別途制御することとしても良い。尚、サブ広告主を抽出する仕組みは、本考案の目的を妨げない限り、他の仕組みを採用することを妨げない。
【００４７】
〔変形例３〕
前記実施形態の他の変形例として、サブ広告に従属させて更にサブ広告を掲載表示することが挙げられる（図８）。例えば、サブ広告主が支店展開している場合に、各支店を該サブ広告に従属させて各支店の広告を表示すれば、バリエーションに富んだ広告宣伝手法を提供することができる。
【００４８】
このとき、前述の実施形態と同様に、制御部が所定の手順に従ってサブ広告主候補を決定するが、本変形例においては、予め各支店を単独の広告主としてデータベースに記録する際に特定の広告主（本変形例の場合、本店広告主）に紐づけしておき、適宜サブ広告のサブ広告として所定の情報を抽出し、所定の表示欄を設け、読み出すようにすればよい。
【符号の説明】
【００４９】
１  本考案に係る広告情報システム
１０  広告媒体
１０１  二次元コード
１０２  広告主名
１０３  広告主に係る商品やサービスを表すロゴや紹介画像
２０  情報提供ウェブサイト
３０  記録サーバ
４０  携帯端末
【図１】
0003209153.tif 000003
【図２】
0003209153.tif 000004
【図３】
0003209153.tif 000005
【図４】
0003209153.tif 000006
【図５】
0003209153.tif 000007
【図６】
0003209153.tif 000008
【図７】
0003209153.tif 000009
【図８】
0003209153.tif 000010
【手続補正書】
【提出日】平成28年12月8日(2016.12.8)
【手続補正１】
【補正対象書類名】実用新案登録請求の範囲
【補正対象項目名】請求項３
【補正方法】変更
【補正の内容】
【請求項３】
請求項１又は請求項２に記載の広告情報システムにおける広告媒体であって、複数の前記ＵＲＬアドレス又は二次元コードが並べて表示され、紙製若しくは樹脂製であることを特徴とする広告媒体。
【手続補正２】
【補正対象書類名】明細書
【補正対象項目名】０００９
【補正方法】変更
【補正の内容】
【０００９】
また、請求項３に記載の広告媒体は、請求項１又は請求項２に記載の広告情報システムにおける広告媒体であって、複数の前記ＵＲＬアドレス又は二次元コードが並べて表示され、紙製若しくは樹脂製であることを特徴とする。